(57)【特許請求の範囲】
【請求項１】
生体の鼻孔及び／または口からの呼気のＣＯ2分圧に応じて色変化するセンシング部と、
このセンシング部を、前記鼻孔からの呼気が直接当たるように前記鼻孔の近傍に着脱可能に配置保持するために、前記センシング部を保持し、前記生体に支持され得る、テープあるいはシートからなる取付部材と、
を具備し、
前記センシング部は、ＣＯ2分圧に応じて色変化する薬液を担体としての布あるいは紙に担持させて、または前記取付部材に担持させて構成されている、ことを特徴とするＣＯ2センサ。
【請求項２】
前記取付部材は、前記センシング部を前記生体の人中上に配置保持することができることを特徴とする請求項１に記載のＣＯ2センサ。
【請求項３】
前記取付部材は、人中上を中心として上唇の上側を長手方向に帯状に延びる粘着部と、
前記粘着部に一体で、下方に延在するように形成され、前記生体側に上下方向に気流路が形成され、当該気流路の上端部に前記センシング部へ臨む開口部が設けられた口部カバーとで構成されていることを特徴とする請求項２に記載のＣＯ2センサ。
【請求項４】
前記取付部材は、さらに、前記粘着部と前記口部カバーとの結合部から前方へ突出し、透孔が穿設された突片を有し、この突片に前記透孔を塞ぐように前記センシング部と同様なセンシング部が設けられていることを特徴とする請求項３に記載のＣＯ2センサ。
【請求項５】
前記取付部材は、人中上を中心として上唇の上側を長手方向に帯状に延びる粘着部と、前記粘着部に一体で、下方に延在するように形成され、前記生体側に上下方向に気流路が形成され、当該気流路の上端部に前記鼻孔の近傍へ臨む開口部が設けられた口部カバーと、前記粘着部と前記口部カバーとの結合部から前方へ突出し、透孔が穿設された突片とを有し、この突片に前記透孔を塞ぐように前記センシング部が設けられていることを特徴とする請求項１に記載のＣＯ2センサ。
【請求項６】
前記取付部材は、前記生体の顔面に保持され得るマスク状の通気性シートであることを特徴とする請求項1に記載のＣＯ2センサ。
【請求項７】
請求項１乃至６のいずれかに記載のＣＯ2センサを用いたＣＯ2測定装置であって、
光信号をセンシング部へ向けて出射する光源部と、
前記センシング部からの光信号を取り込む受光部と、
受光した光信号に基づいてＣＯ2測定を行うＣＯ2測定部と、
を具備することを特徴とするＣＯ2測定装置。
【請求項８】
前記受光部は、前記センシング部において反射または透過された光信号を受光することを特徴とする請求項７に記載のＣＯ2測定装置。
【請求項９】
前記光源部は、波長の異なる少なくとも２種類の光信号を出射することを特徴とする請求項７または８に記載のＣＯ2測定装置。
【請求項１０】
前記光源部から前記センシング部及び前記センシング部から前記受光部の少なくとも一方に光を伝導するための光ファイバを設けたことを特徴とする請求項７乃至９のいずれか１項に記載のＣＯ2測定装置。
【発明の詳細な説明】
【技術分野】
【０００１】
この発明は、呼吸の有無や呼気ＣＯ2分圧を測定するためのＣＯ2センサ及び、そのＣＯ2センサを用いて構成したＣＯ2測定装置に関するものである。
【背景技術】
【０００２】
呼気ＣＯ2分圧を測定するためのＣＯ2センサには、ＣＯ2の赤外線吸収を利用した赤外線分光法によるもの（特許文献１参照）や、ＣＯ2による電解液のｐＨ変化を色素の色変化として検出する色素法によるもの（特許文献２、３参照）などが知られている。
【０００３】
上記特許文献１に記載されている赤外線方式のセンサは、非挿管で測定できるものの、高価であり、小型化・低消費電力化には限界がある。また、上記特許文献２、３に記載されている色素式のセンサは、安価であり、小型化・低消費電力化が可能であるという長所があるものの、挿管チューブに接続されたパイプの内部に配置して使用するタイプのものであり、非挿管で測定することができず、適用範囲が限定されるものであった。
【先行技術文献】
【特許文献】
【０００４】
【特許文献１】特開２００３−３１５２６４号公報
【特許文献２】特開平０６−２４９８５０号公報
【特許文献３】特開昭６３−７５５４１号公報
【発明の概要】
【発明が解決しようとする課題】
【０００５】
本発明は、上記のようなＣＯ2センサの現状に鑑みてなされたもので、その目的は、安価で小型で、低消費電力で、呼吸の有無や呼気ＣＯ2分圧の測定を行うことが可能であり、患者の呼吸管理に広く応用ができ、患者の安全に大きく寄与することが可能なＣＯ2センサ及びＣＯ2測定装置を提供することである。
【課題を解決するための手段】
【０００６】
本発明に係るＣＯ2センサは、生体の鼻孔及び／または口からの呼気のＣＯ2分圧に応じて色変化するセンシング部と、このセンシング部を、前記鼻孔からの呼気が直接当たるように前記鼻孔の近傍に着脱可能に配置保持するために、前記センシング部を保持し、前記生体に支持され得る、テープあるいはシートからなる取付部材と、を具備し、前記センシング部は、ＣＯ2分圧に応じて色変化する薬液を担体としての布あるいは紙に担持させて、または前記取付部材に担持させて構成されている、ことを特徴とする。
【０００７】
本発明に係るＣＯ2センサでは、前記取付部材は、前記センシング部を前記生体の人中上に配置保持することができることを特徴とする。
【０００８】
本発明に係るＣＯ2センサでは、前記取付部材は、人中上を中心として上唇の上側を長手方向に帯状に延びる粘着部と、前記粘着部に一体で、下方に延在するように形成され、前記生体側に上下方向に気流路が形成され、当該気流路の上端部に前記センシング部へ臨む開口部が設けられた口部カバーとで構成されていることを特徴とする。
【０００９】
本発明に係るＣＯ2センサでは、前記取付部材は、さらに、前記粘着部と前記口部カバーとの結合部から前方へ突出し、透孔が穿設された突片を有し、この突片に前記透孔を塞ぐように前記センシング部と同様なセンシング部が設けられていることを特徴とする。
【００１０】
本発明に係るＣＯ2センサでは、前記取付部材は、人中上を中心として上唇の上側を長手方向に帯状に延びる粘着部と、前記粘着部に一体で、下方に延在するように形成され、前記生体側に上下方向に気流路が形成され、当該気流路の上端部に前記鼻孔の近傍へ臨む開口部が設けられた口部カバーと、前記粘着部と前記口部カバーとの結合部から前方へ突出し、透孔が穿設された突片とを有し、この突片に前記透孔を塞ぐように前記センシング部が設けられていることを特徴とする。
【００１１】
本発明に係るＣＯ2センサでは、前記取付部材は、前記生体の顔面に保持され得るマスク状の通気性シートであることを特徴とする。
【００１２】
本発明に係るＣＯ2測定装置は、請求項１乃至６のいずれかに記載のＣＯ2センサを用いたＣＯ2測定装置であって、光信号をセンシング部へ向けて出射する光源部と、前記センシング部からの光信号を取り込む受光部と、受光した光信号に基づいてＣＯ2測定を行うＣＯ2測定部と、を具備することを特徴とする。
【００１３】
本発明に係るＣＯ2測定装置では、前記受光部は、前記センシング部において反射または透過された光信号を受光することを特徴とする。
【００１４】
本発明に係るＣＯ2測定装置では前記光源部は、波長の異なる少なくとも２種類の光信号を出射することを特徴とする。
【００１５】
本発明に係るＣＯ2測定装置は、前記光源部から前記センシング部及び前記センシング部から前記受光部の少なくとも一方に光を伝導するための光ファイバを設けたことを特徴とする。
【発明の効果】
【００１６】
本発明に係るＣＯ2センサ及びＣＯ2測定装置によれば、生体の鼻孔及び／または口からの呼気のＣＯ2分圧に応じて色変化するセンシング部と、このセンシング部を、前記鼻孔及び／または口からの呼気が直接当たる位置に着脱可能に配置保持するために前記生体に支持される取付部材とを具備する構成であるから、コンパクトであり、電力消費を低く抑制することができ、簡易にＣＯ2測定を行うことができる。
【００１７】
本発明に係るＣＯ2測定装置によれば、請求項１乃至６のいずれかに記載のＣＯ2センサを用い、光信号をセンシング部へ向けて出射する光源部と、前記センシング部からの光信号を取り込む受光部と、受光した光信号に基づいてＣＯ2測定を行うＣＯ2測定部とを具備するので、受光した光信号を用いて高精度な測定を行うことも可能であり、患者の呼吸管理に広く応用ができ、患者の安全に大きく寄与することが可能である。
【図面の簡単な説明】
【００１８】
【図１】本発明に係るＣＯ2センサの第１の実施形態を示す構成図。
【図２】本発明に係るＣＯ2センサの第２の実施形態を示す構成図。
【図３】本発明に係るＣＯ2センサの第２の実施形態を示す構成図。
【図４】本発明に係るＣＯ2センサの第２の実施形態の変形例を示す構成図。
【図５】本発明に係るＣＯ2センサの第３の実施形態を示す構成図。
【図６】本発明に係るＣＯ2センサの第３の実施形態の変形例を示す構成図。
【図７】本発明に係るＣＯ2センサの第４の実施形態を示す構成図。
【図８】本発明に係るＣＯ2センサの第５の実施形態を示す構成図。
【図９】本発明に係るＣＯ2センサの第６の実施形態を示す構成図。
【図１０】本発明に係るＣＯ2測定装置の第１の実施形態を示す構成図。
【図１１】本発明に係るＣＯ2測定装置の第２の実施形態を示す構成図。
【図１２】本発明に係るＣＯ2測定装置の第２の実施形態の変形例を示す構成図。
【図１３】本発明に係るＣＯ2測定装置の第３の実施形態を示す構成図。
【図１４】本発明に係るＣＯ2測定装置の第３の実施形態の構成を示す斜視図。
【図１５】本発明に係るＣＯ2測定装置の第３の実施形態の構成を示す斜視図。
【図１６】本発明に係るＣＯ2測定装置の第４の実施形態を示す構成図。
【図１７】本発明に係るＣＯ2測定装置の第４の実施形態の変形例を示す構成図。
【図１８】本発明に係るＣＯ2測定装置の第５の実施形態の変形例を示す構成図。
【発明を実施するための形態】
【００１９】
以下添付図面を参照して、本発明に係るＣＯ2センサ及びＣＯ2測定装置の実施形態を説明する。各図において同一の構成要素には、同一の符号を付して重複する説明を省略する。図１には、本発明に係るＣＯ2センサの第１の実施形態が示されている。このＣＯ2センサ１０は、ガーゼ付絆創膏の絆創膏（テープ）部分と概ね同一構成の長尺状の形状を有するテープやシートから構成されている取付部材１１を有する。取付部材１１が生体Ａに貼着される第１の面１２には、粘着剤が塗布されている。
【００２０】
取付部材１１の第１の面１２の裏面である第２の面１３における中央部には、センシング部１４が設けられている。センシング部１４は、呼気ＣＯ2分圧に応じて色変化するもので、例えば、先に示した特許文献２、３に記載の薬液などを、担体としての布や紙などに担持させ、それを取付部材１１に接着することで構成することができる。また、取付部材１１に上記薬液を担持させるようにしてもよい。センシング部１４の大きさは、人中上に丁度収まる程度とすることができる。センシング部１４は、取付部材１１によって着脱自在に鼻孔の近傍に設けられる。
【００２１】
以上の通り、第１の実施形態のＣＯ2センサ１０が、人中上に配置保持されることにより、鼻孔から排出された呼気のＣＯ2がセンシング部１４へ到り、ＣＯ2分圧に応じてセンシング部１４が色変化する。従って、センシング部１４の色変化を目視することによって、呼吸の有無及び呼気中に含まれるＣＯ2の濃度を概略測定することができる。この構成のＣＯ2センサ１０は、鼻呼吸のみによって呼吸を行う新生児などに対する呼吸管理に好適である。
【００２２】
第２の実施形態に係るＣＯ2センサ１０Ａの構成を図２、図３に示す。ＣＯ2センサ１０Ａの取付部材１１Ａは、人中上を中心として上唇の上側において、長手方向に帯状に延びる粘着部１５と、この粘着部１５に一体に、平面形状が例えば長方形形状や楕円形状で下方に延在するように形成された口部カバー１６とを有する。
【００２３】
粘着部１５は薄手な絆創膏状の樹脂によって形成され、生体Ａに貼着される第１の面１２には、粘着剤が塗布されている。第１の面１２の裏面である第２の面１３における中央部には、センシング部１４が貼着されている。
【００２４】
口部カバー１６は、粘着部１５よりも厚手の樹脂によって形成することができ、粘着部１５から概ね直角に口方向へ垂下した状態に設けられている。口部カバー１６は、反生体側に向かって中央部１６Ｃが突出して上下方向に延び、中央部１６Ｃの両側縁１６Ｓ、１６Ｓが口に近付くように傾斜して構成されている。
【００２５】
口部カバー１６の生体側には、上下方向に溝である気流路１７が形成され、気流路１７の上端部には、センシング部１４へ臨む開口部１８が穿設されている。以上の構成によって、気流路１７が口から排出された呼気をセンシング部１４へ導く機能を有する。
【００２６】
以上の通り、第２の実施形態のＣＯ2センサ１０Ａが、人中上に配置保持されることにより、鼻孔と口から排出された呼気のＣＯ2がセンシング部１４へ到り、センシング部１４が色変化する。従って、センシング部１４の色変化を目視することによって、呼吸の有無及び呼気中に含まれるＣＯ2の濃度を概略測定することができる。この構成のＣＯ2センサ１０Ａは、鼻呼吸と口呼吸によって呼吸を行う成人などに対する呼吸管理に好適であるが、鼻呼吸のみを行う新生児にも適用可能である。
【００２７】
図４は、第２の実施形態の変形例を示す。このＣＯ2センサ１０Ｂは、取付部材１１Ｂの粘着部１５における、少なくともセンシング部１４の部分の断面が図４（ｂ）に示すように、唇側において厚く、鼻側へ向かうほど肉薄に形成されている点において第２の実施形態と相違する。粘着部１５の全体が、上記の通りに構成されていてもよい。このような構成を有するＣＯ2センサ１０Ｂによれば、センシング部１４が図２、３の実施形態に比べて上側を向いた状態において生体Ａに装着されるので、鼻孔から排出される呼気がセンシング部１４に当たりやすくなり、鼻孔からのＣＯ2検出の精度を向上させることができる。
【００２８】
図５に、第３の実施形態を示す。このＣＯ2センサ１０Ｃは、取付部材１１Ｃが第２の実施形態と基本的に同様の構成を有している。ここでは、粘着部１５の一部分から前方へ突出した突片１９を有する。具体的には、突片１９は、粘着部１５と口部カバー１６との結合部から前方へ突出しており、開口部１８の上部へ位置するように形成される。突片１９には、開口部１８と同程度の径を有する透孔１９Ａが穿設されている。透孔１９Ａの上部には、透孔１９Ａを塞ぐように、センシング部１４と同じ構成のセンシング部１４Ａが載置して設けられている。口から排出された呼気中のＣＯ2は気流路１７から開口部１８及び透孔１９Ａを介してセンシング部１４Ａへ到り、センシング部１４Ａの色変化をもたらす。また、鼻孔から排出された呼気中のＣＯ2は、突片１９に載置されているセンシング部１４Ａ及び粘着部１５に設けられたセンシング部１４へ到り、これらセンシング部１４、１４Ａの色変化をもたらす。この実施形態により、二か所のセンシング部１４、１４Ａにおいて、適切にＣＯ2測定を行うことができる。
【００２９】
図６には、図５における第３の実施形態の変形例が示されている。このＣＯ2センサ１０Ｄは、図５における第３の実施形態のＣＯ2センサ１０Ｃに備えられているセンシング部１４を取り去ったもので、他の構成はＣＯ2センサ１０Ｃと同様である。この変形例においては、鼻孔及び口から排出された呼気中のＣＯ2は、突片１９に載置されているセンシング部１４Ａへ到り、これらセンシング部１４Ａの色変化をもたらす。
【００３０】
図７には、第４の実施形態に係るＣＯ2センサ１０Ｅが示されている。このＣＯ2センサ１０Ｅは、織布や不織布などの通気性シートで構成された取付部としてのマスク部２１と、既に説明したセンシング部１４とを有する。マスク部２１は、平面形状が概ね長方形であり、装着したときに両頬に位置する２辺からは、耳に掛けてマスク部２１を保持する紐２２が延びている。この紐２２によってマスク部２１を装着したときに、センシング部１４が口と鼻の前に位置するように、紐２２の長さを調整することができる。マスク部２１を構成する通気性シートの空気抵抗は、４ｍｍＨ2Ｏ／ｃｍ2未満とする。
【００３１】
この実施形態によれば、ＣＯ2センサ１０Ｅを生体（患者）Ａに装着させた状態において、心肺蘇生術を施すことができ、生体（患者）Ａが呼吸を再開させたことなどを、センシング部１４の色変化を観察することにより実現でき便利である。更に、マスク部２１の上から非接触でマウスツーマウスによる人工呼吸を施すことができ、感染を防止することが可能である。
【００３２】
図８には、第５の実施形態に係るＣＯ2センサ１０Ｆが示されている。このＣＯ2センサ１０Ｆは、例えば透明のカップ形状やお椀形状の酸素マスク３０の内壁部に、取付部材３１を備える。取付部材３１は、人中を左右両側から挟むように突出して対向する支持棒体３２、３２により構成される。センシング部３３は、図８（ｂ）に示すように二枚の長方形板が互いに直角に繋げられた形状を有し、その構成は既に説明したセンシング部１４と同様に、呼気ＣＯ2分圧に応じて色変化するものであり、薬液などを、担体としての布や紙などに担持させたもので構成することができる。酸素マスク３０は、図示しない紐やバンドによって口と鼻とを内包する状態で取り付けられ、酸素ボンベなどから図示しないチューブを介して酸素が送られる。
【００３３】
センシング部３３は、鼻孔呼気対応の第１のセンシング部３４と、第１のセンシング部３４の中央側辺から直角に延びる口呼気対応の第２のセンシング部３５とにより構成されている。支持棒体３２、３２の対向面には、第１のセンシング部３４の両端部３４Ａ、３４Ａが嵌合される穴あるいは溝により構成される把持部３２Ａ、３２Ａが形成されている。第１のセンシング部３４の両端部３４Ａ、３４Ａが把持部３２Ａ、３２Ａに嵌合されて用いられ、必要に応じて未使用のものに取り換えて使用することが可能である。以上の構成を有しているため、酸素マスク３０を装着した状態の生体（患者）Ａの呼吸状態を、センシング部３３の色変化によって観察し、必要な呼吸管理を行うことができる。
【００３４】
図９には、第６の実施形態に係るＣＯ2センサ１０Ｇが示されている。このＣＯ2センサ１０Ｇは、鼻カニューレ３６に取付部材３７を有している。センシング部３８は、一枚の長方形形状を有し、その構成は既に説明したセンシング部１４と同様に、呼気ＣＯ2分圧に応じて色変化するものであり、薬液などを、担体としての布や紙などに担持させたもので構成することができる。
【００３５】
取付部材３７は、センシング部３８の上端縁部を弾性などで把持する機構によって構成することができる。また、取付部材３７を鼻カニューレ３６の筒体における外壁部として、この外壁部に対向するセンシング部３８の上端縁部に粘着剤を塗布し、上記外壁部に貼着して構成してもよい。いずれの構成においても、センシング部３８が鼻カニューレ３６における筒体の最下面から吊り下げられた状態で、生体Ａの口の前方に位置することになる。このセンシング部３８に対し、口から排出された呼気のＣＯ2が吹き掛けられ色変化を生じることになる。これにより、鼻カニューレ３６が装着された患者の呼吸状態をセンシング部３８の色変化によって監視することができ、当該患者に対する呼吸管理を容易に適切に行うことが可能である。このセンシング部３８も、必要に応じて未使用のものに取り換えて使用することが可能である。
【００３６】
図１０には、図６に示したセンサとほぼ同じＣＯ2センサ１０Ｈを用いて構成したＣＯ2測定装置の第１の実施形態が示されている。突片１９に形成されている透孔１９Ａに、センシング部１４Ｂが着脱可能に嵌合されて設けられている。センシング部１４Ｂは、センシング部１４と同様の構成を有し、かつ透光性を有する。取付部材１１Ｄにおける粘着部１５の中央部には、ＬＥＤなどの発光素子によって構成される光源部４１が取り付けられている。光源部４１は、センシング部１４Ｂの色変化による光吸収特性が影響を受け難い少なくとも１つの波長の光（第１の波長光）と、センシング部１４Ｂの色変化による光吸収特性が影響を受け易い少なくとも１つの波長の光（第２の波長光）とを出射する。
【００３７】
口部カバー１６における開口部１８を臨む先端部には、フォトセンサなどにより構成される受光部４２が設けられている。受光部４２は、センシング部１４Ｂを介して光源部４１と対向する位置に設けられており、光源部４１から出射された光はセンシング部１４Ｂを介して受光部４２にて受光される。
【００３８】
光源部４１及び受光部４２は、ＣＯ2測定部５０の入出力部５１に接続されている。ＣＯ2測定部５０の入出力部５１には測定本体部５２が接続され、測定本体部５２には報知部５３が接続されている。報知部５３は、例えばＬＣＤにより構成される表示装置を用いることができる。測定本体部５２は、入出力部５１を制御して光源部４１から光を出射させる。受光部４２は、センシング部１４Ｂを介して光を受光して光電変換した信号を入出力部５１へ送る。入出力部５１には、第１の波長光に対応する受光信号と第２の波長光に対応する受光信号とが到来する。入出力部５１は、これらの信号をディジタル化して測定本体部５２へ送る。測定本体部５２は、第１の波長光に対応するディジタル信号と第２の波長光に対応するディジタル信号との比較を行い、例えば、その比をＣＯ2量（ｐｐｍ）に変化するためにあらかじめ備えられているテーブルを用いてＣＯ2量を求めて報知部５３へ送る。これにより、簡単にセンサを配置することができると共に、適切にＣＯ2量の測定を行うことが可能である。
【００３９】
図１１には、図１に示したセンサとほぼ同じＣＯ2センサ１０Ｉを用いて構成したＣＯ2測定装置の第２の実施形態が示されている。テープやシートから構成されている取付部材１１に設けられた穴部に、センシング部１４が着脱可能に埋設されて設けられている。鼻孔からの呼気が当たる第２の面１３におけるセンシング部１４に臨む位置には、光源部４１と受光部４２が設けられている。光源部４１から出射された光は、センシング部１４において反射し受光部４２に受光されるように、光源部４１と受光部４２が配置されている。
【００４０】
光源部４１と受光部４２がＣＯ2測定部５０の入出力部５１に接続されている。測定部５０の構成及び動作は、ＣＯ2測定装置の第２の実施形態と同様である。このため、ＣＯ2センサ１０Ｉを人中上に貼着して、適切にＣＯ2量の測定を行うことが可能である。
【００４１】
図１２には、ＣＯ2測定装置の第２の実施形態の変形例が示されている。この変形例では、受光部４２が第１の面１２に設けられ、光源部４１は第２の面１３に設けられている。光源部４１から出射された光は、センシング部１４を透過して受光部４２に受光されるように、光源部４１と受光部４２が配置されている。その他の構成は、図１１に示したＣＯ2測定装置の第２の実施形態と同様である。このような構成のＣＯ2測定装置によって、ＣＯ2センサ１０Ｉを人中上に貼着して、適切にＣＯ2量の測定を行うことが可能である。
【００４２】
図１３には、図１に示したセンサにおけるとほぼ同じＣＯ2センサを用いて構成したＣＯ2測定装置の第３の実施形態が示されている。取付部材１１に穴が形成されており、ここにセンシング部１４が埋設されている。取付部材１１に対しては、センシング部１４の前方の部分に空室４３を形成するように、通気性のシート４６が貼着されて一体化されている。空室４３におけるシート４６の壁面に光源部４１が設けられている。また、取付部材１１の第１の面１２側であって、センシング部１４には受光部４２が設けられている。光源部４１から出射された光は、センシング部１４を透過して受光部４２に受光されるように、光源部４１と受光部４２が配置されている。
【００４３】
光源部４１と受光部４２は、図１２と同じＣＯ2測定部５０に接続されている。この構成によって、センシング部１４が人中上に配置するように、取付部材１１の第１の面１２側が鼻と口の間に貼着される。鼻孔や口から排出された呼気は、シート４６を介して空室４３へ入り込みセンシング部１４へ当たって、センシング部１４の色変化を生じさせる。この色変化に対応する光は受光部４２によって取り込まれ、受光部４２の信号はＣＯ2測定部５０において前述と同様に処理される。
【００４４】
図１４は、図１３に示したＣＯ2測定装置において、鼻孔からの呼気に対応するタイプのセンサ部の構成図を示し、図１５は、図１３に示したＣＯ2測定装置において、鼻孔及び口からの呼気に対応するタイプのセンサ部の構成図を示す。このような構成のＣＯ2測定装置によって、ＣＯ2センサを人中上に貼着して、適切にＣＯ2量の測定を行うことが可能である。
【００４５】
図１６には、図７に示したＣＯ2センサ１０Ｅを用いて構成したＣＯ2測定装置の第４の実施形態が示されている。光源部４１をセンシング部１４の前方に配置し、受光部４２によって光源部４１の出射光がセンシング部１４にて反射された光を受光するように配置を行う。光源部４１と受光部４２は、前述のＣＯ2測定装置と同じＣＯ2測定部５０に接続されている。センシング部１４の色変化に対応する光は受光部４２によって取り込まれ、受光部４２の信号はＣＯ2測定部５０において前述と同様に処理される。
【００４６】
図１７には、図１６に示したＣＯ2測定装置の変形例が示されている。このＣＯ2測定装置においては、図１６における光を伝導する導光路に、光ファイバ６１、６２を用いたものである。即ち、光ファイバ６１の光入口端部に光源部４１を設け、光ファイバ６１の光出口端部にセンシング部１４を設ける。一方、光ファイバ６２の光入口端部にセンシング部１４を設け、光ファイバ６２の光出口端部に受光部４２を設ける。これにより、光源部４１と受光部４２の配置位置が限定されることなく、医療施設の状況に対応できる。その他構成は図１６の実施形態と同様であり、同様の効果を奏することができる。
【００４７】
図１８には、図７に示したＣＯ2センサ１０Ｅを用いて構成したＣＯ2測定装置の第５の実施形態が示されている。この実施形態においては、センシング部１４の前方に受光部４５が設けられている。この受光部４５は、センシング部１４の光信号を取り込むＣＣＤイメージセンサやＣＭＯＳイメージセンサを用いることができる。
【００４８】
受光部４５は、ＣＯ2測定部５０Ａの入力部５４に接続されている。ＣＯ2測定部５０Ａの入力部５４には測定本体部５５が接続され、測定本体部５５には報知部５３が接続されている。受光部４５により、受光したイメージは光電変換されて入力部５４へ送られ、入力部５４においてディジタル化される。ディジタル化された信号は、測定本体部５５により取り込まれる。
【００４９】
測定本体部５５は、ディジタル化された例えば１フレーム毎の信号を平均化して、その値をＣＯ2量（ｐｐｍ）に変化するためにあらかじめ備えられているテーブルを用いてＣＯ2量を求めて報知部５３へ送る。これにより、簡単にセンサを配置することができると共に、適切にＣＯ2量の測定を行うことが可能である。
【符号の説明】
【００５０】
１０、１０Ａ〜１０Ｉ  ＣＯ2センサ
１１、１１Ａ〜１１Ｄ、３１、３７  取付部材
１４、１４Ａ、１４Ｂ、３３〜３５、３８  センシング部
１５  粘着部
１６  口部カバー
１７  気流路
１８  開口部
２１  マスク部
３０  酸素マスク
３６  鼻カニューレ
４１  光源部
４２、４５  受光部
４３  空室
４６  シート
５０、５０Ａ  測定部
５１  入出力部
５２、５５  測定本体部
５３  報知部
５４  入力部
６１、６２  光ファイバ
【図１】
0005568061.tif 000002
【図２】
0005568061.tif 000003
【図３】
0005568061.tif 000004
【図４】
0005568061.tif 000005
【図５】
0005568061.tif 000006
【図６】
0005568061.tif 000007
【図７】
0005568061.tif 000008
【図８】
0005568061.tif 000009
【図９】
0005568061.tif 000010
【図１０】
0005568061.tif 000011
【図１１】
0005568061.tif 000012
【図１２】
0005568061.tif 000013
【図１３】
0005568061.tif 000014
【図１４】
0005568061.tif 000015
【図１５】
0005568061.tif 000016
【図１６】
0005568061.tif 000017
【図１７】
0005568061.tif 000018
【図１８】
0005568061.tif 000019